(57)【要約】      （修正有）【課題】棚受ブラケットのロック状態を、簡単な構造で確実に維持する。【解決手段】棚板のための支持装置は、支柱１０と棚受ブラケット２０と脱落防止部材３０とを備える。支柱１０には上下方向に等間隔に掛孔１５が形成されている。棚受ブラケット２０は、棚板を受ける主部２０Ａと、支柱１０の掛孔１５に掛けられるフック部２４とを有する。脱落防止部材３０は、主部２０Ａの下部に回動可能に支持され、差込凸部３３を有する。差込凸部３３が掛孔１５に差し込まれることにより、棚受ブラケット２０の持ち上がりが防止される。脱落防止部材３０には第１係合突起３９が形成され、棚受ブラケット２０の主部２０Ａの下端には、第１係合突起３９の回動軌跡上に第２係合突起２９が形成されている。第１係合突起３９が第２係合突起２９の支柱１０側で係止されることにより、脱落防止部材３０の回動が禁じられ、差込凸部３３の掛孔１５への差し込み状態が維持される。【選択図】図５
2018064805.tif 000002
【特許請求の範囲】
【請求項１】
（ア）掛孔と差込孔を有する支持体と、
（イ）支持対象を支持する主部と、この主部から支持体に向かって突出し上記掛孔に掛けられるフック部とを有する掛け部材と、
（ウ）上記掛け部材の上記主部に回動可能に支持されるとともに、上記支持体に向かって突出する差込凸部を有する脱落防止部材と、
を備え、
上記脱落防止部材の回動に伴い、上記差込凸部が上記差込孔に差し込まれることにより、上記掛け部材の持ち上がりが防止され、上記差込凸部が上記差込孔から離脱することにより、上記掛け部材の持ち上がりが許容される支持装置において、
上記脱落防止部材には第１係合突起が形成され、上記掛け部材には、上記第１係合突起の回動軌跡上に第２係合突起が形成されており、上記脱落防止部材への回動力付与により上記第１係合突起が上記第２係合突起を乗り越え可能であり、上記第１係合突起が上記第２係合突起の上記支持体側で係止されることにより、上記脱落防止部材の回動が禁じられ、上記差込凸部の上記差込孔への差し込み状態が維持されることを特徴とする支持装置。
【請求項２】
上記支持体および掛け部材が金属製で、上記脱落防止部材が樹脂製であることを特徴とする請求項１に記載の支持装置。
【請求項３】
上記差込孔が、上記フック部が掛けられる掛孔の下方に配置され、
上記脱落防止部材が、上記主部の下部に回動可能に支持されて上記主部から下方に突出しており、
上記脱落防止部材は上記主部の下端に対向する肩部を有し、この肩部の上面に上記第１係合突起が形成されており、
上記主部の下端に上記第２係合突起が下方に突出して形成されていることを特徴とする請求項１または２に記載の支持装置。
【請求項４】
上記支持体に上記掛孔が上下方向に間隔をおいて複数形成されており、これら複数の掛孔に上記フック部が選択可能に掛けられ、上記フック部が掛けられる掛孔の下方に位置する掛孔が上記差込孔として提供されることを特徴とする請求項３に記載の支持装置。
【請求項５】
上記掛孔は左右に対をなして形成され、この対をなす掛孔が上下方向に間隔をおいて形成され、
上記主部は、上記支持対象を載せる上板部と、この上板部の左右両側から垂直に突出する一対の側板部を有し、これら一対の側板部から上記フック部がそれぞれ突出しており、さらにこれら一対の側板部の下端に上記第２係合突起がそれぞれ形成されており、
上記脱落防止部材は、上記一対の側板部の下部間に挿入されて回動可能に支持された取付部と、この取付部から下方に突出する操作部とを有し、この操作部に左右一対の上記差込凸部が形成され、この操作部の左右両側に上記一対の側板部の下端に対向する一対の上記肩部が形成され、これら一対の肩部に上記第１係合突起がそれぞれ形成されていることを特徴とする請求項４に記載の支持装置。
【請求項６】
上記支持対象が棚板であり、上記支持体は上下方向に延びる支柱からなり、上記掛け部材が棚受ブラケットからなり、この棚受ブラケットの主部が細長く形成されて上記棚板の一部を載せることを特徴とする請求項１〜５のいずれかに記載の支持装置。
【発明の詳細な説明】
【技術分野】
【０００１】
本発明は、棚板等を支持する支持装置に関する。
【背景技術】
【０００２】
棚板（支持対象）を高さ調節可能に支持するための一般的な支持装置は、上下に間隔をおいて形成された縦スリット形状の複数の掛孔を有する支持体と、下向きのフック部を有する棚受ブラケット（掛け部材）とを備えている。このフック部を所望の高さに位置する掛孔に掛けることにより、棚受ブラケットが支持体に取り付けられる。具体的には、棚受ブラケットを支持体に向けて移動させて、フック部を掛孔に挿入する。次に、棚受ブラケットを下げて、フック部を掛孔の下端に引っ掛ける。この棚受ブラケットに棚板が載置される。
【０００３】
上記フック部と上記掛孔の上端との間には間隙が形成されているため、棚受ブラケットは意図しない外力や地震の際の振動により上方に持ち上げられることがある。この時、フック部が掛孔から外れて棚受ブラケットが支持体から脱落する可能性がある。
【０００４】
そこで、上記棚板ブラケットの持ち上がりを防止し、ひいては棚板ブラケットの支持体からの脱落を防止するために、脱落防止部材を用いた支持装置が種々提案されている。この脱落防止部材は棚板ブラケットに回動可能に支持されるとともに支持体に向かって突出する差込凸部を有している。棚受ブラケットが支持体に取り付けられた状態において、脱落防止部材の差込凸部を掛孔に差し込むことにより、棚受ブラケットの持ち上がりを防止している。
【０００５】
脱落防止部材の差込凸部が掛孔に差し込まれた状態を維持するために、脱落防止部材の回動を規制する必要がある。
特許文献１の脱落防止部材は、ねじを介して棚受ブラケットに回動可能に支持されており、このねじを締め付けることにより脱落防止部材の回動が禁じられ、差込凸部が掛孔に差し込まれた状態が維持される。棚受けブラケットを外す際には、ねじを緩めて脱落防止部材を支持体から離れる方向に回動させることにより、差込凸部を掛孔から抜き、その状態で棚受ブラケットを持ち上げて支持体から外す。
【０００６】
特許文献２では、脱落防止部材はコイルバネの力で回動付勢されており、この付勢力で差込凸部の掛孔への差し込み状態が維持されている。棚受けブラケットを外す際には、コイルバネの力に抗して脱落防止部材を回動させて、差込凸部を掛孔から抜く。
【０００７】
特許文献３は、簡単に分解できる陳列棚のフレーム構造を開示しており、支柱（支持体）に下部連結棒（支持対象）を支持するために、上記と同様の掛け部材と脱落防止部材が用いられている。詳述すると、支柱には、掛け部材のフック部が掛けられる掛孔が形成されるとともに、その下方に、脱落防止部材の差込凸部が差し込まれる差込孔が形成されている。脱落防止部材の差込凸部が差込孔に差し込まれた状態は、差込凸部の円弧形状をなす上縁が掛孔の上端と摩擦係合することにより維持されている。
【先行技術文献】
【特許文献】
【０００８】
【特許文献１】実開昭６１−２５８４２号公報
【特許文献２】国際公開ＷＯ２０１６／１２９６６９号公報
【特許文献３】実開平６−２０４号公報
【発明の概要】
【発明が解決しようとする課題】
【０００９】
特許文献１の支持装置では、脱落防止部材の差込凸部が支持体の掛孔に差し込まれた状態を維持するために、ねじを締め付け、差込状態を解除するためにねじを緩めるため、作業が煩雑である。
特許文献２の支持装置では、脱落防止部材の差込凸部の掛孔への差込状態を維持するためにコイルバネを用いるので、部品点数が増えるとともに構造が複雑となる。
特許文献３の支持装置では、差込凸部と差込孔の摩擦係合により差込状態を維持するため、その維持が不確実である。
【課題を解決するための手段】
【００１０】
前記問題点を解決するために、本発明は、（ア）掛孔と差込孔を有する支持体と、（イ）支持対象を支持する主部と、この主部から支持体に向かって突出し上記掛孔に掛けられるフック部とを有する掛け部材と、（ウ）上記掛け部材の上記主部に回動可能に支持されるとともに、上記支持体に向かって突出する差込凸部を有する脱落防止部材と、を備え、上記脱落防止部材の回動に伴い、上記差込凸部が上記差込孔に差し込まれることにより、上記掛け部材の持ち上がりが防止され、上記差込凸部が上記差込孔から離脱することにより、上記掛け部材の持ち上がりが許容される支持装置において、
上記脱落防止部材には第１係合突起が形成され、上記掛け部材には、上記第１係合突起の回動軌跡上に第２係合突起が形成されており、上記脱落防止部材への回動力付与により上記第１係合突起が上記第２係合突起を乗り越え可能であり、上記第１係合突起が上記第２係合突起の上記支持体側で係止されることにより、上記脱落防止部材の回動が禁じられ、上記差込凸部の上記差込孔への差し込み状態が維持されることを特徴とする。
【００１１】
上記構成によれば、第１、第２係合突起の係合により、脱落防止部材の差込凸部が支持体の差込孔へ差し込まれた状態を維持するので、部品点数を増やすことなく、簡単な作業で差込凸部の差込孔への差込と差込解除を行なうことができ、しかもこの差込状態を確実に維持することができ、ひいては掛け部材の支持体への装着状態を確実に維持することができる。
【００１２】
好ましくは、上記支持体および掛け部材が金属製で、上記脱落防止部材が樹脂製である。
この構成によれば、脱落防止部材への回動力付与により第１係合突起が円滑に第２係合突起を乗り越えることができる。
【００１３】
好ましくは、上記差込孔が、上記フック部が掛けられる掛孔の下方に配置され、上記脱落防止部材が、上記主部の下部に回動可能に支持されて上記主部から下方に突出しており、上記脱落防止部材は上記主部の下端に対向する肩部を有し、この肩部の上面に上記第１係合突起が形成されており、上記主部の下端に上記第２係合突起が下方に突出して形成されている。
この構成によれば、第１、第２係合突起を形成するための構成を簡略化することができる。
【００１４】
好ましくは、上記支持体に上記掛孔が上下方向に間隔をおいて複数形成されており、これら複数の掛孔に上記フック部が選択可能に掛けられ、上記フック部が掛けられる掛孔の下方に位置する掛孔が上記差込孔として提供される。
【００１５】
好ましくは、上記掛孔は左右に対をなして形成され、この対をなす掛孔が上下方向に間隔をおいて形成され、上記主部は、上記支持対象を載せる上板部と、この上板部の左右両側から垂直に突出する一対の側板部を有し、これら一対の側板部から上記フック部がそれぞれ突出しており、さらにこれら一対の側板部の下端に上記第２係合突起がそれぞれ形成されており、上記脱落防止部材は、上記一対の側板部の下部間に挿入されて回動可能に支持された取付部と、この取付部から下方に突出する操作部とを有し、この操作部に左右一対の上記差込凸部が形成され、この操作部の左右両側に上記一対の側板部の下端に対向する一対の上記肩部が形成され、これら一対の肩部に上記第１係合突起がそれぞれ形成されている。
この構成によれば、左右一対のフック部により掛け部材を支持体に安定して装着でき、左右一対の差込凸部により脱落防止部材を支持体に安定して差し込むことができ、しかも、左右一対の第１係合凸部と左右一対の第２係合凸部により、脱落防止部材の差込状態を安定して維持することができる。
【００１６】
好ましくは、上記支持対象が棚板であり、上記支持体は上下方向に延びる支柱からなり、上記掛け部材が棚受ブラケットからなり、この棚受ブラケットの主部が細長く形成されて上記棚板の一部を載せる。
【発明の効果】
【００１７】
本発明によれば、部品点数を増やすことなく、簡単な作業で脱落防止部材の差込凸部を差込孔へ差し込んだり、差込解除を行なうことができ、しかもこの差込状態を確実に維持することができ、ひいては掛け部材の支持体への装着状態を確実に維持することができる。
【図面の簡単な説明】
【００１８】
【図１】本発明の一実施形態をなす棚板支持用の一対の支持装置を、非ロック状態で示す斜視図である。
【図２】同支持装置をロック状態で示す斜視図である。
【図３】（Ａ）は同支持装置の棚受ブラケットと脱落防止部材を示す側面図であり、（Ｂ）は背面図である。
【図４】（Ａ）はロック状態の同支持装置の要部を表側から見た拡大斜視図、（Ｂ）は裏側から見た拡大斜視図である。
【図５】（Ａ）は同支持装置の要部を非ロック状態で示す側面図であり、（Ｂ）は同支持装置の要部をロック状態で示す側面図である。
【図６】（Ａ）は図５（Ａ）の円内部分をさらに拡大して示す側面図であり、（Ｂ）は図５（Ｂ）の円内部分をさらに拡大して示す側面図である。
【発明を実施するための形態】
【００１９】
以下、本発明の一実施形態を図面を参照しながら説明する。図１、図２に示すように、左右一対の支持装置１は、棚板Ｓ（支持対象）を建物の壁、家具等の壁板、パネル等（以下、総称して壁と言う）に高さ調節可能に設置するためのものである。各支持装置１は、支柱１０（支持体）と、支柱１０に着脱可能に取り付けられた棚受ブラケット２０（掛け部材）と、棚受ブラケット２０に回動可能に支持された脱落防止部材３０とを備えている。
【００２０】
上記支柱１０は金属からなり、基部１１と一対の脚部１２を有して横断面コ字形をなしている。支柱１０は、一対の脚部１２を壁に当て、壁と離間対向する基部１１に形成された固定孔１３から壁に向かって木ネジ（図示しない）をねじ込むことにより、壁に固定されている。
支柱１０の基部１１には、左右一対の掛孔１５が、上下方向に等間隔をおいて多数形成されている。掛孔１５は縦に延びるスリット形状をなしている。
【００２１】
図３に示すように、棚受ブラケット２０は１枚の金属板を所定形状に打ち抜き、折り曲げることにより構成され、その主部２０Ａは、細長い上板部２１と、この上板部２１の左右両側縁から上板部２１と直角をなして下方に延びる一対の側板部２２とを有している。
【００２２】
棚受ブラケット２０の側板部２２は、支柱１０側で幅広（上下方向の寸法が大）をなし先端に向かって徐々に幅が狭くなっている。この側板部２２の支柱１０側の縁は、後述の作用をなす当接縁２３として提供される。この当接縁２３は上下方向に一直線をなして延びている。
本実施形態では、上板部２１と当接縁２３のなす角度は９０°より若干大きく、これにより後述のように棚受ブラケット２０を支柱１０に装着した状態で、上板部２１は支柱１０に向かって下るように緩やかに傾斜している。
【００２３】
上記一対の側板部２２には、当接縁２３から支柱１０に向かって突出する複数例えば３つの板形状のフック部２４が、上下に等間隔をおいて形成されている。フック部２４は側板部２２と一体をなしその延長平面上に配置されている。
左右一対のフック部２４の間隔は、支柱１０の左右一対の掛孔１５の間隔と等しい。フック部２４の上下方向の間隔は上記支柱１０の掛孔１５の上下方向の間隔と等しい。
【００２４】
フック部２４は下向きの鉤形状をなし、頭部２４ａと、この頭部２４ａと側板部２２を連ねる首部２４ｂとを有している、頭部２４ａは首部２４ｂから下方に突出しており、この頭部２４ａと当接縁２３との間に係合溝２５が形成されている。
頭部２４ａの縦寸法（上下方向の寸法）は支柱１０の掛孔１５の縦寸法より若干小さい。首部２４ｂの縦寸法は掛孔１５の縦寸法より小さい。
【００２５】
図３に示すように、上記脱落防止部材３０は、上記棚受ブラケット２０の主部２０Ａにおいて支柱１０の近傍部の下部に、回動可能に支持されている。脱落防止部材３０はＰＰ等の樹脂の射出成形品からなり、操作部３１と、この操作部３１から上方に突出する一対の取付片部３２（取付部）と、操作部３１から支柱１０に向かって突出する一対の縦長の差込凸部３３とを有している。
【００２６】
上記脱落防止部材３０の一対の取付片部３２は、上記一対の側板部２２間に挿入され、これら側板部２２に軸３４を介して支持されている。この軸３４は、支柱１０と直交して左右方向に水平に延びている。これにより脱落防止部材３０は、差込凸部３３が支柱１０に対して接近、離間するように回動可能である。
脱落防止部材３０の一対の差込凸部３３は上記支柱１０の一対の掛孔１５に差込可能であり、これら掛孔１５より若干小さい断面積を有している。
【００２７】
上記脱落防止部材３０の操作部３１は棚受ブラケット２０の一対の側板部２２から下方に突出しており、これら一対の側板部２２の下端とそれぞれ離間対向する左右一対の肩部３１ａを有している。
【００２８】
操作部３１はさらに、肩部３１ａと連なる指掛け鍔部３１ｂを有している。この指掛け鍔部３１ｂは図３（Ｂ）に示すようにＵ字形をなし、操作部３１の左右側縁と下縁に沿って形成されている。
【００２９】
図３、図５、図６に示すように、操作部３１の左右の肩部３１ａの上面には、第１係合突起３９が形成されており、左右の側板部２２の下端には第２係合突起２９が形成されている。第１係合突起３９と第２係合突起２９は、支柱１０側と支柱１０の反対側がなだらかな傾斜をなすように丸められている。
【００３０】
上記第２係合突起２９は上記第１係合突起３９の回動軌跡上にあり、第１係合突起３９の回動を妨げる。ただし、脱落防止部材３０に所定以上の回動力を加えて回動させることにより、第１係合突起３９は脱落防止部材３０の弾性変形等を伴って第２係合突起２９を乗り越えることができる。
【００３１】
上記構成をなす支持装置１の作用を説明する。棚板Ｓを所望の高さに設置する場合、この所望高さに棚受ブラケット２０の上板部２１が位置するように、棚受ブラケット２０を一対の支柱１０に取り付ける。詳述すると、棚受ブラケット２０を支柱１０に向かって移動させ、３対のフック部２４を支柱１０の３対の掛孔１５に通す。その後で、棚受ブラケット２０を下方に移動させることにより、棚受ブラケット２０のフック部２４の首部２４ｂが掛孔１５の下端に当たり、当接縁２３が支柱１０の基部１１の表側の面に当たり、係合溝２５に掛孔１５の下端部が入り込む。このようにしてフック部２４が掛孔１５に掛けられ、棚受ブラケット２０が支柱１０に取り付けられる。
【００３２】
上記棚受ブラケット２０の支柱１０への取り付け工程において、脱落防止部材３０は図１、図５（Ａ）、図６（Ａ）に示すように支柱１０から離れた後退位置にある。この脱落防止部材３０の後退位置は上記第１係合突起３９が第２係合突起２９において支柱１０とは反対側に当たることにより維持される。
【００３３】
上記棚受ブラケット２０の支柱１０への取付状態において、フック部２４の首部２４ｂと支柱１０の掛孔１５の上端との間には間隙が形成されており、棚受ブラケット２０の持ち上がりを許容している。棚受ブラケット２０が持ち上がるとフック部２４が掛孔１５から抜け、棚受ブラケット２０が支柱１０から脱落する可能性がある。この状態を、棚受ブラケット２０の非ロック状態と称す。
【００３４】
上記棚受ブラケット２０の支柱１０への取り付け後に、脱落防止部材３０の操作部３１を支柱１０に向かって押し込む。すると、脱落防止部材３０が支柱１０に向かって回動し、一対の差込凸部３３が、一対の掛孔１５に差し込まれる。これら一対の掛孔１５は、上記フック部２４と係合関係にある最も下の掛孔１５の直ぐ下に位置しており、特許請求の範囲の差込孔としての役割を担う。
【００３５】
上記差込凸部３３が掛孔１５に差し込まれた状態で棚受ブラケット２０に持ち上がり方向の力が作用しても、差込凸部３３の上縁が掛孔１５の上端に係合するため、棚受ブラケット２０の持ち上がりが制限される。そのため、フック部２４が掛孔１５から離脱することがなく、棚受ブラケット２０の支柱１０からの脱落が防止される。以下、この状態を棚受ブラケット２０のロック状態と称す。
【００３６】
上記脱落防止部材３０を支柱１０に向かって押し込む際、第１係合突起３９が第１係合突起２９を乗り越え、第１係合突起２９の支柱１０側に達する。そのため、脱落防止部材３０は、支柱１０から離れる方向に回動するのを禁じられ、差込凸部３３が掛孔１５に係合した状態を維持され、ひいては棚受ブラケット２０のロック状態が維持される。
【００３７】
上記のようにして一対の支柱１０に取り付けられた一対の棚受ブラケット２０には、棚板Ｓが載せられる。この棚板Ｓは棚受ブラケット２０の上板部２１に固定してもよい。なお、棚板Ｓを予め固定した一対の棚受ブラケット２０を、一対の支柱１０に取り付けるようにしてもよい。
【００３８】
棚受ブラケット２０を支柱１０から取り外す場合には、脱落防止部材３０の操作部３１の指掛け用鍔部３１ｂに指を掛け、手前に引く。これにより脱落防止部材３０は支柱１０から離れるように回動し、差込凸部３３が掛孔１５から抜ける。この回動の過程で、第１係合突起３９が第２係合突起２９を乗り越えて第２係合突起２９の支柱１０とは反対側に達する。次に、棚受ブラケット２０を持ち上げて支柱１０から離れる方向に移動させることにより、フック部２４が掛孔１５から抜ける。
【００３９】
本発明は、前記実施形態に限られず、その趣旨を逸脱しない範囲内で種々の改変をなすことができる。
上記実施形態では、掛け部材の主部が上板部と一対の側板部により構成されているが、１枚の側板部だけで構成されていてもよい。この場合、側板部の上縁に支持対象が載せられる。フック部は１つずつ上下に間隔をおいて形成され、掛孔も１つずつ上下に間隔をおいて形成される。また、脱落防止部材の差込凸部も１つである。
【００４０】
上記実施形態では、上下に間隔をおいて配置された掛孔の１つが脱落防止部材の差込凸部のための差込孔を兼用したが、差込孔は掛孔とは別に形成してもよい。支持対象の高さ調節が不要である場合には、掛孔は１つまたは左右一対だけでもよい。
【００４１】
共通の孔に、掛け部材のフック部が掛けられるとともに脱落防止部材の差込凸部が差し込まれるようにしてもよい。この孔は、掛孔と差込孔の両方の役割を担う。
【００４２】
支持体としては、上記実施形態のように壁に固定される支柱の他、スタンドアローンの支柱であってもよく、キャビネット、壁、パネルであってもよい。
上記実施形態では掛け部材の主部は支持対象を載せているが、主部と支持対象を固定してもよいし、一体化してもよい。
【産業上の利用可能性】
【００４３】
本発明は、棚板の支持装置等に適用可能である。
【符号の説明】
【００４４】
Ｓ  棚板（支持対象）
１  支持装置
１０  支柱（支持体）
１５  掛孔、差込孔
２０  棚受ブラケット（掛け部材）
２０Ａ  主部
２１  上板部
２２  側板部
２４  フック部
２９  第２係合突起
３０  脱落防止部材
３１  取付片部（取付部）
３１ａ  肩部
３２  操作部
３３  差込凸部
３９  第１係合突起
【図１】
2018064805.tif 000003
【図２】
2018064805.tif 000004
【図３】
2018064805.tif 000005
【図４】
2018064805.tif 000006
【図５】
2018064805.tif 000007
【図６】
2018064805.tif 000008